(57)【特許請求の範囲】
【請求項１】
遊技球が打ち出される遊技領域を有する遊技盤に設けられ、前記遊技球が入賞する入賞口と、
前記入賞口の上方に設けられ、前記遊技球を転動させる上ステージと、
前記入賞口の上方であって前記上ステージの下方に設けられ、前記遊技球を転動させる下ステージと、を備え、
前記上ステージを転動した前記遊技球が前記下ステージに落下する遊技機において、
略円盤形状に形成されて前記遊技盤の前後方向に延びる軸を中心に回転駆動され、前記下ステージを転動する前記遊技球を受け入れ、受け入れた遊技球を前記上ステージに向けて搬送する第１回転体と、
略円盤形状に形成されて前記遊技盤の前後方向に延びる軸を中心に回転駆動され、前記第１回転体により搬送された前記遊技球を受け入れ、受け入れた遊技球を前記上ステージ上に送り出す第２回転体と、を備え、
前記第１、第２回転体は、前記遊技盤の前面側から観察した際に前記第１回転体の上部と前記第２回転体の下部とが重なり合うように、前後に段違いに配置され、
前記第１回転体に受け入れられた遊技球は、前記第１、第２回転体が重なり合う領域で前記第１回転体から前記第２回転体に受け渡されることを特徴とする遊技機。
【請求項２】
前記第１回転体は、前記遊技球を受け入れる第１受入部と、前記遊技球を受け入れない第１非受入部と、を有し、
前記第２回転体は、前記遊技球を受け入れる第２受入部と、前記遊技球を受け入れない第２非受入部と、を有し、
前記第１、第２回転体は、前記第１受入部が前記第１、第２回転体が重なり合う領域を通過する間に、前記第１受入部が前記第２受入部と対向する場合と、前記第１受入部が前記第２受入部と対向することなく前記第１、第２回転体が重なり合う領域を通過する場合とが所定の比率で発生するように構成され、
前記第１回転体に受け入れられた遊技球は、前記第１、第２回転体が重なり合う領域において前記第１、第２受入部が対向したときに、前記第１受入部から前記第２受入部へと移動することを特徴とする請求項１記載の遊技機。
【請求項３】
前記第１、第２回転体が重なり合う領域において前記第１、第２受入部が対向しなかった場合、前記第１回転体に受け入れられた遊技球は、前記第１、第２回転体が重なり合う領域を通過した後に前記第１回転体から落下することを特徴とする請求項２記載の遊技機。
【請求項４】
前記上ステージを転動する前記遊技球を前記入賞口に導く誘導路を備えたことを特徴とする請求項１〜３いずれか記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
遊技場に設置される遊技機の一つとしてパチンコ機が挙げられる。このパチンコ機には、パチンコ球（遊技球）が打ち出される遊技領域が形成された遊技盤が本体ユニットに配設され、その遊技盤の前面がガラス板を保持した前面扉により被覆される構成となっている。遊技盤面には、レールにより規制された遊技領域が形成され、この遊技領域には複数の釘、風車、始動入賞口、アタッカ、図柄可変表示装置、等が設けられた構成となっている。これら始動入賞口、アタッカ及び払出入賞口にパチンコ球が入ることを入賞とし、入賞によりパチンコ球を獲得することができる。パチンコ球には一定の価値が与えられ、遊技を行って獲得したパチンコ球を種々の景品に交換することができる。
【０００３】
このようなパチンコ機では、センター役物と称される枠状の部材が遊技領域の中央部分に設けられた図柄可変表示装置を取り囲むように取り付けられている（例えば、特許文献１参照）。このセンター役物には、パチンコ球を流入させるための開口が形成されており、この開口からセンター役物内に流入したパチンコ球をその下部に形成されたステージを介して下方に落下させる。このセンター役物の下方には始動入賞口が設けられており、パチンコ球がこの始動入賞口に入る（入賞する）と、制御装置は抽選を行い、この抽選結果が当りであるか否かを判定する。この抽選で大当たりに当選すると、図柄可変表示装置により特定の図柄にて構成される組み合わせが表示され、大当たりモードに移行される。大当たりモードでは、アタッカがそのアタッカの奥に設けられた大入賞口を開放する位置から閉じる位置になることを１ラウンドとして、１５ラウンド繰り返し可動される。これにより、遊技者はパチンコ球を獲得することができる。
【０００４】
近年のパチンコ機では、ステージが２段（上段ステージ、下段ステージ）設けられ、さらには、上段ステージには、パチンコ球を始動入賞口に導く誘導路が形成されている。上記したセンター役物の開口から流入したパチンコ球は、先ず上段ステージ上を転動する。上段ステージを転動するパチンコ球は、誘導路により始動入賞口に導かれるか、下段ステージに落下する。
【特許文献１】特開２００４−３１３５２１号公報
【発明の開示】
【発明が解決しようとする課題】
【０００５】
しかしながら、このように構成されたパチンコ機では、センター役物に設けられた開口から流入し、上段ステージ上を転動するパチンコ球は、全て誘導路に導かれるのではなく、誘導路に到達する前に下段ステージに落下することがあり、下段ステージにはパチンコ球を始動入賞口に導く誘導路が形成されていないため、下段ステージに落下したパチンコ球は、誘導路に導かれたパチンコ球に比べて、始動入賞口に入賞する確率が低くなってしまう。そのため、遊技者の遊技に対する興趣が低くなっていた。
【０００６】
本発明は、上記課題を解決するためになされたものであり、遊技者の遊技に対する興趣を維持することができる遊技機を提供することを目的とする。
【課題を解決するための手段】
【０００７】
上記目的を達成するために、本発明の遊技機は、遊技球が打ち出される遊技領域を有する遊技盤に設けられ、前記遊技球が入賞する入賞口と、前記入賞口の上方に設けられ、前記遊技球を転動させる上ステージと、前記入賞口の上方であって前記上ステージの下方に設けられ、前記遊技球を転動させる下ステージと、を備え、前記上ステージを転動した前記遊技球が前記下ステージに落下する遊技機において、略円盤形状に形成されて前記遊技盤の前後方向に延びる軸を中心に回転駆動され、前記下ステージを転動する前記遊技球を受け入れ、受け入れた遊技球を前記上ステージに向けて搬送する第１回転体と、略円盤形状に形成されて前記遊技盤の前後方向に延びる軸を中心に回転駆動され、前記第１回転体により搬送された前記遊技球を受け入れ、受け入れた遊技球を前記上ステージ上に送り出す第２回転体と、を備え、前記第１、第２回転体は、前記遊技盤の前面側から観察した際に前記第１回転体の上部と前記第２回転体の下部とが重なり合うように、前後に段違いに配置され、前記第１回転体に受け入れられた遊技球は、前記第１、第２回転体が重なり合う領域で前記第１回転体から前記第２回転体に受け渡されることを特徴とする。なお、前記第１回転体は、前記下ステージの側方に設けられていることが好ましく、前記第２回転体は、前記上ステージの側方に設けられていることが好ましい。
【０００８】
前記第１回転体は、前記遊技球を受け入れる第１受入部と、前記遊技球を受け入れない第１非受入部と、を有し、前記第２回転体は、前記遊技球を受け入れる第２受入部と、前記遊技球を受け入れない第２非受入部と、を有し、前記第１、第２回転体は、前記第１受入部が前記第１、第２回転体が重なり合う領域を通過する間に、前記第１受入部が前記第２受入部と対向する場合と、前記第１受入部が前記第２受入部と対向することなく前記第１、第２回転体が重なり合う領域を通過する場合とが所定の比率で発生するように構成され、前記第１回転体に受け入れられた遊技球は、前記第１、第２回転体が重なり合う領域において前記第１、第２受入部が対向したときに、前記第１受入部から前記第２受入部へと移動するものでもよい。なお、前記第１、第２受入部は、間隔を空けて複数設けられていることが好ましい。
【０００９】
前記第１、第２回転体が重なり合う領域において前記第１、第２受入部が対向しなかった場合、前記第１回転体に受け入れられた遊技球は、前記第１、第２回転体が重なり合う領域を通過した後に前記第１回転体から落下するものでもよい。
【００１０】
前記上ステージを転動する前記遊技球を前記入賞口に導く誘導路を設けてもよい。
【発明の効果】
【００１１】
本発明の遊技機によれば、遊技球が打ち出される遊技領域を有する遊技盤に設けられ、遊技球が入賞する入賞口と、入賞口の上方に設けられ、遊技球を転動させる上ステージと、入賞口の上方であって上ステージの下方に設けられ、遊技球を転動させる下ステージと、を備え、上ステージを転動した遊技球が下ステージに落下する遊技機において、回転可能に設けられ、下ステージを転動する遊技球を受け入れ、受け入れた遊技球を上ステージに向けて搬送する第１回転体と、回転可能に設けられ、第１回転体により搬送された遊技球を受け入れ、受け入れた遊技球を上ステージ上に送り出す第２回転体と、を備えたから、上ステージから下ステージに落下した遊技球を、第１回転体及び第２回転体により、再度上ステージに送り出すことができ、遊技者の遊技に対する興趣を維持することができる。
【００１２】
また、上ステージを転動する遊技球を入賞口に導く誘導路を備えたから、誘導路を通った遊技球は入賞口に入賞しやすくなり、この入賞口への遊技球の入賞は遊技者に遊技上の特典を与えるため、上ステージから下ステージに落下した遊技球を、第１回転体及び第２回転体により、再度上ステージに送り出すことは、入賞口への遊技球入賞の期待を高めることができ、より一層、遊技者の遊技に対する興趣を維持することができる。
【００１３】
さらに、第１回転体は、遊技球を受け入れる第１受入部と、遊技球を受け入れない第１非受入部と、を有するから、第１回転体に向けて転動された遊技球は、全て第１回転体により上ステージに向けて搬送されるのではなく、第１受入部で受け入れたときのみ上ステージに向けて搬送されるため、より一層、遊技者の遊技に対する興趣を維持することができる。
【００１４】
また、第２回転体は、遊技球を受け入れる第２受入部と、遊技球を受け入れない第２非受入部と、を有するから、第１回転体により搬送された遊技球は、全て第２回転体により上ステージ上に送り出されるのではなく、第２受入部で受け入れたときのみ上ステージ上に送り出されるため、より一層、遊技者の遊技に対する興趣を維持することができる。
【発明を実施するための最良の形態】
【００１５】
図１に示すように、遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球（遊技球）７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の下方には、始動入賞口（入賞口）１０、通常入賞口１１、アタッカ１２、アウト口１３等が設けられている。
【００１６】
遊技盤４の略中央であって、始動入賞口１０の上方には、図柄可変表示装置９を取り囲むようにセンター役物１４が設けられており、センター役物１４に形成された開口を介して、図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０〜１２のいずれかに入るか、あるいはアウト口１３から回収される。なお、パチンコ機２の遊技領域４ａに設けられている複数の釘、風車などの構造物は公知であるので説明は省略する。
【００１７】
図２に示すように、センター役物１４には、図柄可変表示装置９の上方に防護屋根１６が設けられている。防護屋根１６は、パチンコ球７が図柄可変表示装置９の上方から落下して図柄の表示が妨げられることを防止する。
【００１８】
センター役物１４の左側部の内部には、パチンコ球落下路１７が設けられている。パチンコ球落下路１７は、センター役物１４の左側面付近を落下するパチンコ球７が入り込むことにより、パチンコ球７を、後述する上ステージ１８上に誘導する。パチンコ球落下路１７の下流側には、パチンコ球７を上ステージ１８上に誘導するステージ誘導口１７ａが形成されている。
【００１９】
図２及び図３に示すように、センター役物１４には、図柄可変表示装置９の下方に上ステージ１８及び下ステージ１９が設けられている。上ステージ１８は、最も高い位置にある中央部から左右の両端部に向かうにつれて次第に下方に傾斜するように、円弧状に曲げられて形成された転動面１８ａを備える。転動面１８ａは、前方に向けて下方に傾斜する形状で形成されている。転動面１８ａの左右方向における中央部には、後方に向けて下向きに傾斜する中央溝１８ｂが形成されている。この中央溝１８ｂは、パチンコ球７が入るサイズで、且つ、転動面１８ａの前後方向における略中央部から後方に向けて形成されている。転動面１８ａでは、主にパチンコ球落下路１７のステージ誘導口１７ａから誘導されたパチンコ球７や、センター役物１４の周辺の釘で跳ね返されたパチンコ球７が転動する。中央溝１８ｂに入ったパチンコ球７は、後述する誘導部２０の球流入口２０ａに流入して誘導路２０ｂを通って球流出口２０ｃから排出される。
【００２０】
図４に示すように、センター役物１４には、中央溝１８ｂに入ったパチンコ球７を始動入賞口１０に誘導する誘導部２０が形成されている。誘導部２０は、中央溝１８ｂに入ったパチンコ球７が流入する球流入口２０ａと、球流入口２０ａに流入したパチンコ球７を誘導する誘導路２０ｂと、誘導路２０ｂを誘導されたパチンコ球７を始動入賞口１０に向けて排出する球流出口２０ｃと、から構成されている。球流出口２０ｃは、始動入賞口１０の近傍でかつ略真上に形成されており、球流出口２０ｃから排出されたパチンコ球７、すなわち、中央溝１８ｂに入ったパチンコ球７は、上ステージ１８及び下ステージ１９から落下したパチンコ球７に比べて、始動入賞口１０に入賞する確率が高くなる。
【００２１】
図２及び図３に示すように、下ステージ１９は、上ステージ１８の下方に設けられている。下ステージ１９は、最も高い位置にある中央部から左右の両端部に向かうにつれて次第に下方に傾斜するように、円弧状に曲げられて形成された転動面１９ａを備える。転動面１９ａは、前方に向けて下方に傾斜する形状で形成されている。転動面１９ａでは、主に上ステージ１８から落下したパチンコ球７や、センター役物１４の周辺の釘で跳ね返されたパチンコ球７が転動する。下ステージ１９に流入したパチンコ球７は、転動面１９ａを転がり、勢いがなくなると下方に落下する。
【００２２】
図２、図３及び図５に示すように、下ステージ１９の右方には、転動面１９ａの右方に転動されたパチンコ球７を受け入れ、受け入れたパチンコ球７を上ステージ１８に向けて搬送する第１回転盤（第１回転体）２１が配設されている。第１回転盤２１は、円盤状に形成され、第１モータ２６のモータシャフト２６ａに回転可能に取り付けられており、第１モータ２６の駆動により回転する。第１回転盤２１は、上側端部が下側端部に対して後方に傾くように配設されている。なお、図１においては、図面の乱雑を避けるために、第１回転盤２１の図示を省略している。
【００２３】
第１回転盤２１は、円盤状の本体部（第１非受入部）２１ａの外周部に９０°ピッチで４個の受入開口（第１受入部）２１ｂが形成されている。本体部２１ａは、前後方向の厚みがパチンコ球７の直径よりも厚いサイズで形成され、受入開口２１ｂは、パチンコ球７の径よりも大きい径で形成されている。これにより、受入開口２１ｂは、パチンコ球７を受け入れ可能となる。
【００２４】
上ステージ１８の右方には、第１回転盤２１により搬送されたパチンコ球７を受け入れ、受け入れたパチンコ球７を上ステージ１８上に送り出す第２回転盤（第２回転体）２２が配設されている。第２回転盤２２は、円盤状に形成され、第２モータ２７のモータシャフト２７ａに回転可能に取り付けられており、第２モータ２７の駆動により回転する。第２回転盤２２は、上側端部が下側端部に対して後方に傾くように配設されている。なお、図１においては、図面の乱雑を避けるために、第２回転盤２２の図示を省略している。
【００２５】
第２回転盤２２は、円盤状の本体部（第２非受入部）２２ａの外周部に９０°ピッチで４個の受入凹部（第２受入部）２２ｂが形成されている。受入凹部２２ｂは、前後方向の凹量がパチンコ球７の径よりも大きいサイズで形成されるとともに、パチンコ球７の直径よりも大きい径で形成されている。これにより、受入凹部２２ｂは、パチンコ球７を受け入れ可能となる。
【００２６】
第１回転盤２１の後方には、受入開口２１ｂに入ったパチンコ球７が後方に落下するのを防止する落下防止板２４が設けられている。この落下防止板２４には、受入開口２１ｂが第２回転盤２２の受入凹部２２ｂと連通する位置（左右方向における中心部の上側端部）に、受入開口２１ｂ内のパチンコ球７を受入凹部２２ｂに送り出すための送出開口２４ａが形成されている。この送出開口２４ａは、パチンコ球７の径よりも大きい径で形成されている。
【００２７】
第２回転盤２２の周囲には、受入凹部２２ｂで受け入れたパチンコ球７が上ステージ１８上に送り出されるまでに落下するのを防止する落下防止リブ２５が、前方に向けて立設されている。受入凹部２２ｂで受け入れたパチンコ球７は、受入凹部２２ｂと落下防止リブ２５との間で挟まれて搬送される。パチンコ球７を受け入れた受入凹部２２ｂが、最上部まで回転し、さらに、第２回転盤２２の上下方向の中心よりも下方に回転されると、受入凹部２２ｂ内のパチンコ球７が上ステージ１８上に送り出される。
【００２８】
上ステージ１８の転動面１８ａの右側端部には、第２回転盤２２の受入凹部２２ｂから送り出されたパチンコ球７を受けるとともに、パチンコ球７が転動面１８ａを勢いよく転動するようにパチンコ球７に勢いを与える球受け部１８ｃが形成されている。受入凹部２２ｂから送り出されたパチンコ球７は、球受け部１８ｃにより勢いを与えられ、勢いよく転動面１８ａを転動する。
【００２９】
第１モータ２６及び第２モータ２７は、パチンコ機２を制御する制御装置（図１参照）３０に接続されており、制御装置３０により駆動が制御される。制御装置３０は、第１回転盤２１が図２及び図３中Ａ方向（時計方向）に、第２回転盤２２が図２及び図３中Ｂ方向（反時計方向）に、それぞれ回転するように、第１モータ２６及び第２モータ２７の駆動を制御する。
【００３０】
図６に示すように、第１回転盤２１及び第２回転盤２２は、第１回転盤２１の４個の受入開口２１ｂのいずれかが、第１回転盤２１の上下方向の中心線上に位置するときに、第２回転盤２２の４個の受入凹部２２ｂのいずれかが、第２回転盤２２の上下方向の中心線上に位置し、受入開口２１ｂと受入凹部２２ｂとが連通するように、第１モータ２６及び第２モータ２７に取り付けられている。さらには、制御装置３０は、第１回転盤２１及び第２回転盤２２が同一の回転速度で回転するように、第１モータ２６及び第２モータ２７の駆動を制御する。これにより、第１回転盤２１の４個の受入開口２１ｂで受け入れたパチンコ球７は、全て第２回転盤２２の４個の受入凹部２２ｂのいずれかに流入することとなる。
【００３１】
上記のように構成されたパチンコ機２の作用について説明する。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で始動入賞口１０、通常入賞口１１、アタッカ１２のいずれかに入るか、あるいはアウト口１３から回収される。
【００３２】
始動入賞口１０にパチンコ球７が入賞すると、制御装置３０は、当たり決定部（図示せず）を作動させ、この当たり決定部は、１つの乱数値を抽選する。抽選された乱数値は当たりテーブルと照合され、当たりモードに移行させるか否かが抽選判定の結果として決定され、該決定に係る情報（例えばコマンド）が生成される。制御装置３０は、このコマンドに応じて図柄可変表示装置９を作動し、図柄可変表示装置９で図柄の可変表示が開始される。抽選判定で当たりが決定された場合には、制御装置３０は、図柄可変表示装置９で複数の図柄を一定の組み合わせで停止させるとともに、アタッカ１２を開放する。遊技者は、アタッカ１２にパチンコ球７を入れることにより、多くのパチンコ球７を獲得することができる。このアタッカ１２の開放は、例えば、３０秒開放されるか、またはアタッカ１２内の大入賞口にパチンコ球７が１０個入賞されるのを１ラウンドとして、１５ラウンドが継続して実行される。
【００３３】
遊技者は、操作ハンドル８を操作して、パチンコ球７が始動入賞口１０に入賞するようにパチンコ球７の打ち出される強さを調節する。このとき、遊技者は、パチンコ球７が始動入賞口１０に入賞する確率の高い上ステージ１８を狙って操作ハンドル８を操作する。上ステージ１８の転動面１８ａでは、主にパチンコ球落下路１７のステージ誘導口１７ａから誘導されたパチンコ球７や、センター役物１４の周辺の釘で跳ね返されたパチンコ球７が転がる。転動面１８ａを転動したパチンコ球７のうち、中央溝１８ｂに入ったパチンコ球７は、転動面１８ａから下ステージ１９に落下したパチンコ球７に比べて、始動入賞口１０に入賞する確率が高い。
【００３４】
下ステージ１９の転動面１９ａでは、主に上ステージ１８から落下したパチンコ球７や、センター役物１４の周辺の釘で跳ね返されたパチンコ球７が転動する。下ステージ１９に流入したパチンコ球７は、転動面１９ａを転がり、勢いがなくなると下方に落下する。下ステージ１９から落下したパチンコ球７は、上ステージ１８の中央溝１８ｂに入ったパチンコ球７に比べて、始動入賞口１０に入賞する確率が低い。
【００３５】
下ステージ１９の右方には、転動面１９ａの右方に転動されたパチンコ球７を受け入れ、受け入れたパチンコ球７を上ステージ１８に向けて搬送する第１回転盤２１が配設されている。第１回転盤２１には、４個の受入開口２１ｂが形成され、第１モータ２６により回転されている。パチンコ球７が転動面１９ａの右方に転動されたときに、受入開口２１ｂが転動面１９ａを転動したパチンコ球７を受け入れる位置（図２、図３及び図６参照）に位置する場合には、受入開口２１ｂはパチンコ球７を受け入れる。そして、第１回転盤２１が回転し、パチンコ球７を受け入れた受入開口２１ｂが、左右方向における中心部の上側端部（最上部）に位置するまで回転すると、受入開口２１ｂと第２回転盤２２の受入凹部２２ｂとが連通する。受入開口２１ｂと受入凹部２２ｂとが連通すると、受入開口２１ｂで受け入れたパチンコ球７は、受入凹部２２ｂに流入し、受入凹部２２ｂがパチンコ球７を受け入れた状態となる。
【００３６】
パチンコ球７を受け入れた受入凹部２２ｂが、最上部まで回転し、さらに、第２回転盤２２の中心部よりも下方に回転されると、受入凹部２２ｂ内のパチンコ球７が上ステージ１８上に送り出される。受入凹部２２ｂから送り出されたパチンコ球７は、球受け部１８ｃにより勢いが与えられ、勢いよく転動面１８ａを転動する。上述したように、転動面１８ａを転動したパチンコ球７のうち、中央溝１８ｂに入ったパチンコ球７は、転動面１８ａから下ステージ１９に落下したパチンコ球７に比べて、始動入賞口１０に入賞する確率が高い。
【００３７】
このように、第１回転盤２１及び第２回転盤２２により、下ステージ１９を転動するパチンコ球７を上ステージ１８上に送り出すことができるから、上ステージ１８の中央溝１８ｂに入ったパチンコ球７に比べて、始動入賞口１０に入賞する確率が低くなる下ステージ１９を転動するパチンコ球７を、再度上ステージ１８の転動面１８ａで転動させることができ、パチンコ球７が、始動入賞口１０に入賞する確率が低く遊技者の遊技に対する興趣が低下する下ステージ１９を転動する場合にも、遊技者の遊技に対する興趣を維持することができる。
【００３８】
また、第１回転盤２１を、本体部２１ａの外周部に９０°ピッチで４個の受入開口２１ｂを形成して構成したから、下ステージ１９の転動面１９ａの右方に転動されたパチンコ球７は、全て第１回転盤２１により第２回転盤２２に向けて搬送されるのではなく、受入開口２１ｂが転動面１９ａを転動したパチンコ球７を受け入れる位置に位置するときのみ、第１回転盤２１は受入開口２１ｂにパチンコ球７を受け入れ、受け入れたパチンコ球７を第２回転盤２２に向けて搬送するため、より一層、遊技者の遊技に対する興趣を維持することができる。
【００３９】
なお、上記実施形態では、第１回転盤２１を下ステージ１９の右方に、第２回転盤２２を上ステージ１８の右方に配設したが、これに限定されることなく、第１回転盤２１は、下ステージ１９の転動面１９ａを転動するパチンコ球７を受け入れ可能な位置に、第２回転盤２２は、第１回転盤２１により搬送されたパチンコ球７を受け入れ可能な位置に、それぞれ設けられていればよく、例えば、第１回転盤２１を下ステージ１９の左方に、第２回転盤２２を上ステージ１８の左方に配設してもよい。
【００４０】
また、上記実施形態では、第１回転盤２１に４個の受入開口２１ｂを、第２回転盤２２に４個の受入凹部２２ｂを、それぞれ形成したが、これらの個数は適宜変更可能である。
【００４１】
さらに、上記実施形態では、第１回転盤２１の４個の受入開口２１ｂで受け入れたパチンコ球７は、全て第２回転盤２２の４個の受入凹部２２ｂのいずれかに流入するようにしたが、これに限定されることなく、例えば、４個の受入開口２１ｂのうちの２個の受入開口２１ｂで受け入れたパチンコ球７のみ、４個の受入凹部２２ｂのいずれかに流入するようにしてもよく、さらには、現回転では受入開口２１ｂで受け入れたパチンコ球７が受入凹部２２ｂに流入し、次回転では受入開口２１ｂで受け入れたパチンコ球７が受入凹部２２ｂに流入せず、その次の回転では受入開口２１ｂで受け入れたパチンコ球７が受入凹部２２ｂに流入するようにする等、適宜変更可能である。
【図面の簡単な説明】
【００４２】
【図１】本発明を実施したパチンコ機の外観を示す斜視図である。
【図２】図柄可変表示装置、センター役物、上ステージ、下ステージ、第１回転盤、第２回転盤を示す平面図である。
【図３】センター役物、上ステージ、下ステージ、第１回転盤、第２回転盤、落下防止板、落下防止リブを示す斜視図である。
【図４】球流入口と誘導路と球流出口とを備えた誘導部を示す側面図である。
【図５】第１回転盤、第２回転盤、落下防止板、落下防止リブ、第１モータ、第２モータを示す斜視図である。
【図６】図柄可変表示装置、センター役物、上ステージ、下ステージ、第１回転盤、第２回転盤を示す平面図である。
【符号の説明】
【００４３】
２  パチンコ機（遊技機）
４  遊技盤
４ａ  遊技領域
７  パチンコ球（遊技球）
１０  始動入賞口（入賞口）
１４  センター役物
１８  上ステージ
１８ａ  転動面
１８ｂ  中央溝
１８ｃ  球受け部
１９  下ステージ
１９ａ  転動面
２０  誘導部
２０ａ  球流入口
２０ｂ  誘導路
２０ｃ  球流出口
２１  第１回転盤（第１回転体）
２１ａ  本体部（第１非受入部）
２１ｂ  受入開口（第１受入部）
２２  第２回転盤（第２回転体）
２２ａ  本体部（第２非受入部）
２２ｂ  受入凹部（第２受入部）
【図１】
0004642670.tif 000002
【図２】
0004642670.tif 000003
【図３】
0004642670.tif 000004
【図４】
0004642670.tif 000005
【図５】
0004642670.tif 000006
【図６】
0004642670.tif 000007